(57)【要約】【課題】蓄熱過程の熱ロスに加えて、放熱過程の熱ロスを低減できる蓄熱装置を提供する。【解決手段】エンジン１００の排気を外部に排出する排気通路１１０に設けられ、排気の熱を用いて蓄熱する蓄熱部１０と、排気通路１１０に設けられるとともに蓄熱部１０に熱的に接続され、排気又は蓄熱部１０からの伝熱により内部に封入された熱輸送媒体を蒸発させる熱輸送部３０と、熱輸送部３０で蒸発した熱輸送媒体との熱交換により加熱対象を加熱するとともに、熱輸送媒体を凝縮させて熱輸送部３０に戻す熱回収部４０とを有し、熱回収部４０は、蓄熱部１０及び熱輸送部３０の周囲を囲むように配置されている。【選択図】図１
2010116911.tif 000002
【特許請求の範囲】
【請求項１】
内燃機関（１００）の排気を外部に排出する排気通路（１１０）に設けられ、前記排気の熱を用いて蓄熱する蓄熱部（１０）と、
前記排気通路（１１０）に設けられるとともに前記蓄熱部（１０）に熱的に接続され、前記排気又は前記蓄熱部（１０）からの伝熱により内部に封入された熱輸送媒体を蒸発させる熱輸送部（３０）と、
前記熱輸送部（３０）で蒸発した前記熱輸送媒体との熱交換により加熱対象を加熱するとともに、前記熱輸送媒体を凝縮させて前記熱輸送部（３０）に戻す熱回収部（４０）とを有し、
前記熱回収部（４０）は、前記蓄熱部（１０）及び前記熱輸送部（３０）の周囲を囲むように配置されていることを特徴とする蓄熱装置。
【請求項２】
前記熱回収部（４０）は、前記蓄熱部（１０）及び前記熱輸送部（３０）の全周を囲む筒状の形状を有していることを特徴とする請求項１に記載の蓄熱装置。
【請求項３】
前記蓄熱部（１０）は、発熱／吸熱反応が可逆的に行われる化学蓄熱剤（１１）が充填された構造を有しており、
前記発熱／吸熱反応に用いられる反応媒体を収容し、蒸発した前記反応媒体を前記蓄熱部（１０）に送るとともに、前記蓄熱部（１０）から流入した前記反応媒体を凝縮させる蒸発凝縮部（５０）をさらに有し、
前記蒸発凝縮部（５０）は、前記蓄熱部（１０）及び前記熱輸送部（３０）の周囲を前記熱回収部（４０）と共同して囲むように配置されていることを特徴とする請求項１又は２に記載の蓄熱装置。
【請求項４】
前記蒸発凝縮部（５０）及び前記蓄熱部（１０）は、互いに熱的に接続されていることを特徴とする請求項３に記載の蓄熱装置。
【請求項５】
前記蒸発凝縮部（５０）と前記蓄熱部（１０）との間の伝熱を促進する伝熱フィン（５３）をさらに有することを特徴とする請求項４に記載の蓄熱装置。
【請求項６】
前記伝熱フィン（５３）は、前記蒸発凝縮部（５０）の下部側に設けられていることを特徴とする請求項５に記載の蓄熱装置。
【請求項７】
前記蓄熱部（１２）と前記熱輸送部（３５）とが交互に積層配置されていることを特徴とする請求項１乃至６のいずれか１項に記載の蓄熱装置。
【発明の詳細な説明】
【技術分野】
【０００１】
本発明は、内燃機関の排気熱を用いて蓄熱する蓄熱装置に関する。
【背景技術】
【０００２】
特許文献１には、エンジンの排気熱を用いて蓄熱する従来の蓄熱装置が開示されている。この蓄熱装置は、化学蓄熱剤が充填された反応器と、エンジンの排気熱によって内部を流通するブラインを加熱する高温熱供給熱交換器と、反応器内に設けられ、高温熱供給熱交換器で加熱されたブラインとの熱交換により化学蓄熱剤を加熱する高温側熱交換器とを有している。高温熱供給熱交換器と高温側熱交換器との間は、ブラインを流通させる熱交換器用パイプを介して接続されている。化学蓄熱剤は、高温熱供給熱交換器、ブライン及び高温側熱交換器を介して供給されるエンジンの排気熱によって吸熱反応を起こし、これにより蓄熱が行われるようになっている。
【特許文献１】特開２００８−１１１５９２号公報
【発明の開示】
【発明が解決しようとする課題】
【０００３】
上記の蓄熱装置では、反応器が排気管から離れた位置に配置されているため、反応器内の化学蓄熱剤には、熱交換器用パイプ内を流通するブラインを媒体として排気熱が供給されるようになっている。したがって、熱交換器用パイプからの放熱によって、排気熱が化学蓄熱剤に供給されるまでの間に系外への放熱が生じるため、蓄熱過程での熱ロスが大きくなってしまうという問題がある。
【０００４】
この熱ロスを低減するために本願出願人は、特願２００８−２７８７４７号（未公開技術）において、反応器を排気管内に設置した蓄熱装置を提案している。この蓄熱装置では、蓄熱過程において、反応器に対し熱媒体を介さずに排気熱を供給できるため、蓄熱過程での熱ロスを低減できる。しかしながら、この蓄熱装置においても、蓄熱した熱を放熱して加熱対象に移動させる放熱過程を考えると、反応器で発生した熱が全て熱回収部に伝わることはなく、系外に放熱されてしまうため熱ロスが生じてしまう。
【０００５】
本発明の目的は、蓄熱過程の熱ロスに加えて、放熱過程の熱ロスを低減できる蓄熱装置を提供することにある。
【課題を解決するための手段】
【０００６】
本発明は上記目的を達成するために、以下の技術的手段を採用する。
【０００７】
請求項１に記載の発明は、内燃機関（１００）の排気を外部に排出する排気通路（１１０）に設けられ、排気の熱を用いて蓄熱する蓄熱部（１０）と、排気通路（１１０）に設けられるとともに蓄熱部（１０）に熱的に接続され、排気又は蓄熱部（１０）からの伝熱により内部に封入された熱輸送媒体を蒸発させる熱輸送部（３０）と、熱輸送部（３０）で蒸発した熱輸送媒体との熱交換により加熱対象を加熱するとともに、熱輸送媒体を凝縮させて熱輸送部（３０）に戻す熱回収部（４０）とを有し、熱回収部（４０）は、蓄熱部（１０）及び熱輸送部（３０）の周囲を囲むように配置されていることを特徴とする蓄熱装置である。
【０００８】
蓄熱部（１０）の熱を熱輸送部（３０）、熱輸送媒体及び熱回収部（４０）を介して加熱対象に移動させる放熱過程においては、蓄熱部（１０）及び熱輸送部（３０）は外部よりも高温になり、特に蓄熱部（１０）は最も高温になる。このため、蓄熱部（１０）の熱は、熱輸送部（３０）、熱輸送媒体及び熱回収部（４０）を介して加熱対象に有効に伝えられる以外に、伝導や輻射によって蓄熱部（１０）及び熱輸送部（３０）から系外に放熱されてしまうことも考えられる。しかしながら、熱回収部（４０）が蓄熱部（１０）及び熱輸送部（３０）の周囲を囲むように配置されていることによって、蓄熱部（１０）及び熱輸送部（３０）から放出される熱は、系外に放熱されずに熱回収部（４０）に伝熱し、結果的には加熱対象の加熱に寄与することになる。したがって、蓄熱装置の放熱過程での熱ロスを低減することができる。
【０００９】
また、蓄熱部（１０）が排気通路（１１０）に設けられているため、蓄熱過程において、蓄熱部（１０）に対し熱媒体を介さずに排気熱を供給できる。したがって、蓄熱装置の蓄熱過程での熱ロスを低減することができる。
【００１０】
請求項２に記載の発明は、熱回収部（４０）は、蓄熱部（１０）及び熱輸送部（３０）の全周を囲む筒状の形状を有していることを特徴としている。
【００１１】
これにより、蓄熱部（１０）の全周から放出される熱を熱回収部（４０）に伝熱させることができるため、蓄熱装置の放熱過程での熱ロスをさらに低減することができる。
【００１２】
請求項３に記載の発明は、蓄熱部（１０）は、発熱／吸熱反応が可逆的に行われる化学蓄熱剤（１１）が充填された構造を有しており、発熱／吸熱反応に用いられる反応媒体を収容し、蒸発した反応媒体を蓄熱部（１０）に送るとともに、蓄熱部（１０）から流入した反応媒体を凝縮させる蒸発凝縮部（５０）をさらに有し、蒸発凝縮部（５０）は、蓄熱部（１０）及び熱輸送部（３０）の周囲を熱回収部（４０）と共同して囲むように配置されていることを特徴としている。
【００１３】
これにより、蓄熱装置を小型化できるため、蓄熱装置の車両への搭載性を向上できる。
【００１４】
請求項４に記載の発明は、蒸発凝縮部（５０）及び蓄熱部（１０）は、互いに熱的に接続されていることを特徴としている。
【００１５】
これにより、放熱過程において、蒸発凝縮部（５０）内の反応媒体が蓄熱部（１０）からの伝熱により加熱されて蒸発し易くなるため、蓄熱部（１０）に反応媒体を速やかに供給でき、化学蓄熱剤（１１）の発熱反応を促進することができる。
【００１６】
請求項５に記載の発明は、蒸発凝縮部（５０）と蓄熱部（１０）との間の伝熱を促進する伝熱フィン（５３）をさらに有することを特徴としている。
【００１７】
これにより、蓄熱部（１０）から蒸発凝縮部（５０）に積極的に伝熱させることができるため、蒸発凝縮部（５０）内の反応媒体の温度上昇が促進されてさらに蒸発し易くなる。
【００１８】
請求項６に記載の発明は、伝熱フィン（５３）は、蒸発凝縮部（５０）の下部側に設けられていることを特徴としている。
【００１９】
これにより、蓄熱部（１０）から蒸発凝縮部（５０）内の液状態の反応媒体に効果的に伝熱させることができる。
【００２０】
請求項７に記載の発明は、蓄熱部（１２）と熱輸送部（３５）とが交互に積層配置されていることを特徴としている。
【００２１】
これにより、蓄熱部（１２）と熱輸送部（３５）との間の伝熱面積を増加させることができるため、蓄熱部（１２）と熱輸送部（３５）との間の熱移動を促進できる。
【００２２】
なお、上記各手段の括弧内の符号は、後述する実施形態記載の具体的手段との対応関係の一例を示している。
【発明を実施するための最良の形態】
【００２３】
（第１実施形態）
本発明の第１実施形態について図１及び図２を用いて説明する。図１は、本実施形態における蓄熱装置の構成を模式的に示している。図２は、本実施形態における蓄熱装置の熱輸送部近傍を排気流通方向に垂直に切断した断面構成を模式的に示している。図１及び図２に示すように、本実施形態の蓄熱装置１は、水冷式のエンジン（内燃機関）１００と、エンジン１００の排気を外部に排出する排気通路１１０とを備えた車両に搭載されている。
【００２４】
排気通路１１０の途中には、蓄熱装置１の蓄熱部１０が設けられている。蓄熱部１０は、排気通路１１０を流通する排気の熱を用いて蓄放熱を行うようになっている。蓄熱部１０は、所定形状を有する例えばステンレス鋼製の容器体である。蓄熱部１０の内部空間には粒子状の化学蓄熱剤１１が充填されており、容器体外部を流れる排気との間で熱交換が行われるようになっている。化学蓄熱剤１１としては、例えばＣａＯやＭｇＯ等の金属酸化物が用いられる。化学蓄熱剤１１は、例えば水（水蒸気）を反応媒体として発熱／吸熱反応を可逆的に行うようになっている。化学蓄熱剤１１にＣａＯを用い、反応媒体に水（水蒸気）を用いた場合の発熱／吸熱反応の化学反応式（１）、（２）を以下に示す。
ＣａＯ＋Ｈ２Ｏ→Ｃａ（ＯＨ）２＋Ｑ（発熱）    ・・・（１）
Ｃａ（ＯＨ）２→ＣａＯ＋Ｈ２Ｏ−Ｑ（吸熱）    ・・・（２）
排気通路１１０の外側には、反応媒体を内部に収容する蒸発凝縮部２０が設けられている。蒸発凝縮部２０は、内部の反応媒体と外気との間で熱交換を行うようになっている。蒸発凝縮部２０は、反応媒体配管２１を介して蓄熱部１０に接続されている。反応媒体配管２１の一端部は、蓄熱部１０内に挿入され、蓄熱部１０の内部で開口している。反応媒体配管２１の他端部は、蒸発凝縮部２０内に挿入され、反応媒体の液面よりも上方で開口している。反応媒体配管２１には、電動式のバルブ２２が設けられている。バルブ２２は、不図示の制御部により開閉制御されるようになっている。
【００２５】
また、排気通路１１０の途中には、熱輸送部３０が設けられている。熱輸送部３０は、所定形状を有する例えばステンレス鋼製の容器体である。熱輸送部３０の内部空間には所定の熱輸送媒体（例えば水）が封入されており、容器体外部を流れる排気との間で熱交換が行われるようになっている。熱輸送媒体としては、水以外にも、アルコール、フルオロカーボン又はクロロフルオロカーボン（フロン）等を用いることができる。熱輸送部３０は、所定形状の伝熱面３４を介して蓄熱部１０に熱的に接続されている。熱輸送部３０内部の熱輸送媒体は、排気からの伝熱又は蓄熱部１０からの伝熱により加熱されて蒸発するようになっている。熱輸送部３０は蓄熱部１０と共に熱生成部を構成しており、本実施形態では、熱生成部は円柱状の形状を有している。
【００２６】
蓄熱部１０及び熱輸送部３０の周囲には、熱回収部４０が配置されている。熱回収部４０は、中空円筒状の内部空間を有する例えばステンレス鋼製の容器体であり、蓄熱部１０及び熱輸送部３０の外周面（側面）の全周を囲むように配置されている。熱回収部４０は、例えば蓄熱部１０及び熱輸送部３０に対し熱的に接続されている。
【００２７】
熱回収部４０は、蒸気流路３１を介して熱輸送部３０の上端部と連通しているとともに、還流路３２を介して熱輸送部３０の下端部と連通している。これにより熱輸送部３０及び熱回収部４０は、ループ式のヒートパイプ装置を構成している。熱輸送部３０及び熱回収部４０の内部は、水以外の気体を排した略真空状態となるように維持されているため、圧力は水の温度に対応した飽和圧力となっている。
【００２８】
還流路３２には、電動式のバルブ３３が設けられている。バルブ３３は、制御部により開閉制御されるようになっている。
【００２９】
熱回収部４０内部には、エンジン１００の冷却水（加熱対象）を内部に流通させる熱回収熱交換器４１が設けられている。熱回収熱交換器４１は、熱回収部４０内に比較的長い経路長で配設されており、熱回収部４０内の熱輸送媒体との熱交換により冷却水を加熱するようになっている。
【００３０】
図示していないが、蓄熱装置１の内部には、蓄熱部１０及び熱輸送部３０を貫いて形成され、排気通路１１０の一部を構成する配管が設けられている。配管内の排気の流路は、蓄熱部１０及び熱輸送部３０の各内部空間に対し空間的には隔離されているが、配管内を流れる排気と蓄熱部１０及び熱輸送部３０との間の伝熱は可能になっている。
【００３１】
次に、本実施形態における蓄熱装置の作動について説明する。
【００３２】
まず、エンジン１００の低温始動時等に行われる放熱過程について説明する。エンジン１００が始動すると、制御部の制御によりバルブ２２、３３が開弁される。バルブ２２が開弁されることにより、蒸発凝縮部２０内の反応媒体（蒸気又は液）は、反応媒体配管２１を通って蓄熱部１０内に流入する。反応媒体が流入すると、蓄熱部１０内では、化学反応式（１）に示した発熱反応（加水反応）が進行する。化学蓄熱剤１１の発熱反応により蓄熱部１０内で発生した熱は、主に伝熱面３４を介して熱輸送部３０に移動する。
【００３３】
熱輸送部３０内では、蓄熱部１０からの伝熱により熱輸送媒体が加熱されて沸騰蒸発する。蒸発した熱輸送媒体は、蒸気流路３１を介して熱回収部４０に流入する。熱回収部４０では、流入した熱輸送媒体と熱回収熱交換器４１内を流通する冷却水との熱交換が行われ、冷却水が加熱されるとともに熱輸送媒体は凝縮する。凝縮した熱輸送媒体は、還流路３２を通って熱輸送部３０に戻る。このように、蓄熱部１０で発生して熱輸送部３０に伝熱した熱は、ヒートパイプ作用によって熱回収熱交換器４１内の冷却水に移動する。これにより、冷却水の温度上昇が促進されるため、エンジン１００の暖機や冷却水を用いた暖房の立ち上がりを早期に行うことができる。
【００３４】
本実施形態では、蓄熱部１０からだけでなく排気からも熱輸送部３０に対して伝熱するため、上記の放熱過程終了後においても通常の排気熱回収が行われる。熱輸送部３０内では、排気からの伝熱により熱輸送媒体が加熱されて沸騰蒸発する。蒸発した熱輸送媒体は、蒸気流路３１を介して熱回収部４０に流入する。熱回収部４０では、流入した熱輸送媒体と熱回収熱交換器４１内を流通する冷却水との熱交換が行われる。これにより、冷却水が加熱されるとともに熱輸送媒体は凝縮する。凝縮した熱輸送媒体は、還流路３２を通って熱輸送部３０に戻る。このように、排気の熱は、ヒートパイプ作用によって熱回収熱交換器４１内の冷却水に移動する。
【００３５】
冷却水が十分に加熱されて所定の温度を超えると、制御部の制御によりバルブ３３が閉弁される。これにより、熱回収部４０内で凝縮した熱輸送媒体の熱輸送部３０への還流が阻止され、排気熱の回収が停止する。
【００３６】
次に、蓄熱過程について説明する。蓄熱過程は、上記の放熱過程終了後であって、排気温度が十分に高くなった定常走行時等に行われる。蓄熱過程では、バルブ２２は開弁状態にある。蓄熱部１０内では、化学蓄熱剤１１が排気によって加熱され、化学反応式（２）に示した吸熱反応（脱水反応）が進行する。これにより、化学蓄熱剤１１の再生（蓄熱）が行われる。脱水反応によって化学蓄熱剤１１から放出された反応媒体（蒸気）は、反応媒体配管２１を通って蒸発凝縮部２０に流入する。蒸発凝縮部２０に流入した反応媒体は、外気との熱交換により冷却されて凝縮し、液状態となって蒸発凝縮部２０内に収容される。化学蓄熱剤１１の再生が完了すると、制御部の制御によりバルブ２２が閉弁される。これにより、蓄熱部１０への反応媒体の流入が阻止されるため、蓄熱状態が維持される。
【００３７】
上記の放熱過程においては、蓄熱部１０及び熱輸送部３０は外部よりも高温になり、特に蓄熱部１０は最も高温になる。このため、蓄熱部１０で発生した熱は、熱輸送部３０及び熱回収部４０を介して冷却水に有効に伝えられる以外に、伝導や輻射によって系外へ放出されてしまうことも考えられる。ところが本実施形態では、蓄熱部１０及び熱輸送部３０は熱回収部４０によって外周を囲まれているため、蓄熱部１０及び熱輸送部３０の外周部から放出される熱は、系外に放熱されずに熱回収部４０に伝熱し、結果的には熱回収熱交換器４１内の冷却水の加熱に寄与することになる。
【００３８】
例えば、蓄熱部１０の外周部から放出された熱が熱輸送部３０を介さずに熱回収部４０に伝熱し、熱回収部４０内に滞留している液状態の熱輸送媒体を蒸発させたとする。この場合であっても、熱回収部４０内では、蒸発した熱輸送媒体と熱回収熱交換器４１内の冷却水との熱交換が行われ、熱輸送媒体が凝縮するとともに冷却水が加熱される。すなわち、蓄熱部１０の外周部から放出された熱は、結果的には熱回収熱交換器４１内の冷却水に移動することになる。
【００３９】
したがって本実施形態によれば、蓄熱部１０及び熱輸送部３０の外周部から系外に放出され得る熱を回収できるため、蓄熱装置１の熱回収効率を向上できるとともに、放熱過程での熱ロスを低減することができる。
【００４０】
また本実施形態では、熱回収部４０が、蓄熱部１０及び熱輸送部３０の全周を囲む筒状の形状を有しているため、蓄熱部１０及び熱輸送部３０の外周部から放出され得る熱のほとんどを回収できる。したがって、蓄熱装置１の熱回収効率をさらに向上でき、放熱過程での熱ロスをさらに低減することができる。
【００４１】
さらに本実施形態では、熱回収部４０が熱輸送部３０の外周部に隣接して配置されているため、蒸気流路３１の流路長を短くできる。したがって、蒸気流路３１での放熱ロスを低減できる効果も得られる。
【００４２】
また本実施形態では、蓄熱部１０が排気通路１１０内に設けられているため、蓄熱過程において、蓄熱部１０の化学蓄熱剤１１に対し熱媒体を介さずに排気熱を供給できる。したがって、蓄熱過程での熱ロスを低減することができる。
【００４３】
（第２実施形態）
次に、本発明の第２実施形態について図３及び図４を用いて説明する。図３は、本実施形態における蓄熱装置２の構成を模式的に示している。図４は、本実施形態における蓄熱装置２の蒸発凝縮部５０近傍を排気流通方向に垂直に切断した断面構成を模式的に示している。図３及び図４に示すように、本実施形態の蓄熱装置２は、第１実施形態の蓄熱装置１と比較して、蒸発凝縮部５０が蓄熱部１０及び熱輸送部３０の周囲を熱回収部４０と共同して囲むように配置されている点に特徴を有している。
【００４４】
蒸発凝縮部５０は、円環状の内部空間を有する例えばステンレス鋼製の容器体であり、熱回収部４０と共に筒状体を構成している。この筒状体は、蓄熱部１０及び熱輸送部３０の全周を囲むように配置されている。蒸発凝縮部５０の内周側は、例えば蓄熱部１０に対し熱的に接続されている。蒸発凝縮部５０の主に外周側では、内部の反応媒体と外気との間で熱交換が行われる。蒸発凝縮部５０の上部と蓄熱部１０の上部との間は、反応媒体流路５１を介して接続されている。反応媒体流路５１には、制御部により開閉制御される電動式のバルブ５２が設けられている。
【００４５】
放熱過程において、蒸発凝縮部５０内の液状態の反応媒体は、蓄熱部１０からの伝熱により加熱され、蒸発が促進される。蒸発した反応媒体は、反応媒体流路５１を通って蓄熱部１０内に流入する。
【００４６】
また蓄熱過程において、化学蓄熱剤１１から放出された反応媒体（蒸気）は、反応媒体流路５１を通って蒸発凝縮部５０の上部に流入する。流入した反応媒体は、蒸発凝縮部５０の主に上部外周側で外気との熱交換により冷却されて凝縮し、液状態となって蒸発凝縮部２０内に収容される。その他の蓄熱装置２の作動については、第１実施形態の蓄熱装置１と同様であるため説明を省略する。
【００４７】
本実施形態によれば、第１実施形態と同様の効果が得られるとともに、蒸発凝縮部５０が蓄熱部１０及び熱輸送部３０の周囲を囲むように配置されているため、蓄熱装置２を小型化及び単純形状化でき、蓄熱装置２の車両への搭載性を向上できる。
【００４８】
また本実施形態では、蒸発凝縮部５０が蓄熱部１０に対し熱的に接続されている。このため、放熱過程において、蒸発凝縮部５０内の液状態の反応媒体が蓄熱部１０からの伝熱により加熱されて蒸発し易くなり、蓄熱部１０に反応媒体を速やかに供給できる。
【００４９】
（第３実施形態）
次に、本発明の第３実施形態について図５を用いて説明する。図５は、本実施形態における蓄熱装置３の構成を模式的に示している。図５に示すように、本実施形態の蓄熱装置３は、第２実施形態の蓄熱装置２と比較して、蓄熱部１０から蒸発凝縮部５０に積極的に伝熱するための伝熱フィン５３が設けられている点に特徴を有している。
【００５０】
伝熱フィン５３は、蓄熱部１０と蒸発凝縮部５０との間の隔壁において、例えば蓄熱部１０側及び蒸発凝縮部５０側の双方に突出して形成されている。また伝熱フィン５３は、蒸発凝縮部５０の下部側（液側）に集中して設けられており、例えば、常温時における反応媒体の液面よりも下方のみに設けられている。
【００５１】
本実施形態によれば、放熱過程において、蒸発凝縮部５０内の液状態の反応媒体に対し、蓄熱部１０で生じる反応熱の一部を積極的に伝熱させることができる。このため、反応媒体の温度が低く反応性が低いときにも、反応熱の一部を補助熱源として反応媒体を加熱することができる。したがって、反応媒体が蒸発し易くなり、蓄熱部１０に反応媒体を速やかに供給できるため、化学蓄熱剤１１の発熱反応を促進することができる。
【００５２】
また本実施形態では、伝熱フィン５３が蒸発凝縮部５０の下部側に集中して設けられているため、蓄熱部１０から蒸発凝縮部５０内の液状態の反応媒体に対し効果的に伝熱させることができる。
【００５３】
本実施形態は、反応媒体の気化熱として蓄熱部１０から奪われる熱量よりも、気化した反応媒体と化学蓄熱剤１１との反応によって蓄熱部１０で生成される熱量の方が大きいときに有効である。このため、化学蓄熱剤１１と反応媒体との反応熱が反応媒体の気化熱よりも大きいという条件を満たすことが望ましい。この条件は、化学蓄熱剤１１としてＣａＯやＭｇＯ等の金属酸化物を用い、反応媒体として水を用いた場合には少なくとも満たされる。
【００５４】
（第４実施形態）
次に、本発明の第４実施形態について図６を用いて説明する。図６は、本実施形態における蓄熱装置４の構成を模式的に示している。図６に示すように、本実施形態の蓄熱装置４は、排気の流れ方向において蓄熱部１２と熱輸送部３５とが交互に積層配置されている点に特徴を有している。
【００５５】
各蓄熱部１２は、それぞれ排気の流れ方向に略垂直な面内に広がる平板状の内部空間を備えた容器体である。各蓄熱部１２の内部空間同士は、上方に設けられた連通部１３を介して互いに連通している。蓄熱部１２の内部空間には、粒子状の化学蓄熱剤１１（図６では図示せず）が充填されている。また、各熱輸送部３５は、互いに隣り合う蓄熱部１２の間に、両蓄熱部１２と伝熱可能に形成されている。熱輸送部３５の内部空間同士は、上方に設けられた連通部３６と下方に設けられた連通部３７とを介して互いに連通している。蓄熱部１２及び熱輸送部３５は、積層型熱交換器のような構造を有している。
【００５６】
図示していないが、蓄熱装置４の内部には、全ての蓄熱部１２及び熱輸送部３５を貫いて形成され、排気通路１１０の一部を構成する配管が設けられている。配管内の排気の流路は、蓄熱部１２及び熱輸送部３５の各内部空間に対し空間的には隔離されているが、配管内を流れる排気と蓄熱部１２及び熱輸送部３５との間の伝熱は可能になっている。
【００５７】
本実施形態によれば、蓄熱部１２と熱輸送部３５との間の伝熱面積を増加させることができるため、蓄熱部１２と熱輸送部３５との間の熱移動を促進できる。
【００５８】
（その他の実施形態）
上記実施形態では、筒状の内部空間形状を有し、蓄熱部１０及び熱輸送部３０の外周面の全周を囲むように配置された熱回収部４０を例に挙げたが、熱回収部４０は断面Ｃ字状の内部空間形状を有し、蓄熱部１０及び熱輸送部３０の外周面の一部を囲むように配置してもよい。
【００５９】
また上記実施形態では、蓄熱部１０及び熱輸送部３０が円柱状の形状を有する例を挙げたが、蓄熱部１０及び熱輸送部３０は角柱状等の他の形状を有していてもよい。
【００６０】
さらに上記実施形態では、金属酸化物が充填された蓄熱部１０、１２を備えた蓄熱装置を例に挙げたが、蓄熱装置は、排気熱を用いた蓄熱が可能であれば他の化学蓄熱剤が充填された蓄熱部を備えていてもよいし、顕熱蓄熱や潜熱蓄熱を利用する蓄熱部を備えていてもよい。
【００６１】
また上記実施形態では、還流路３２に電動式のバルブ３３が設けられた例を挙げたが、バルブ３３は、ヒートパイプ装置の内圧によって作動し、内圧上昇時に閉弁状態となって熱輸送媒体の還流を阻止するダイヤフラム式の内圧作動弁であってもよい。
【００６２】
さらに上記実施形態では、加熱対象としてエンジン１００の冷却水を例に挙げたが、エンジンオイル、触媒又はエンジン１００の吸気等を加熱対象としてもよい。
【００６３】
また上記第４実施形態では、排気の流れ方向において蓄熱部１２及び熱輸送部３５が交互に積層された例を挙げたが、蓄熱部１２及び熱輸送部３５を排気流れ方向に略垂直な水平方向に積層してもよい。この場合、例えば蓄熱部１２、熱輸送部３５及び排気流路を交互に積層するようにすれば、蓄熱部１２及び熱輸送部３５を貫いて排気を流通させる配管を省略できるため、蓄熱装置の構成が簡略化する。
【００６４】
さらに上記実施形態では、水冷式のエンジン１００を備えた車両に搭載された車両用蓄熱装置を例に挙げたが、本発明の蓄熱装置は、空冷式のエンジンを備えた車両や、あるいは車両以外にも適用可能である。
【図面の簡単な説明】
【００６５】
【図１】第１実施形態における蓄熱装置の構成を模式的に示す図である。
【図２】第１実施形態における蓄熱装置の熱輸送部近傍を排気流通方向に垂直に切断した断面構成を模式的に示す図である。
【図３】第２実施形態における蓄熱装置の構成を模式的に示す図である。
【図４】第２実施形態における蓄熱装置の蒸発凝縮部近傍を排気流通方向に垂直に切断した断面構成を模式的に示す図である。
【図５】第３実施形態における蓄熱装置の構成を模式的に示す図である。
【図６】第４実施形態における蓄熱装置の構成を模式的に示す図である。
【符号の説明】
【００６６】
１、２、３、４  蓄熱装置
１０、１２  蓄熱部
１１  化学蓄熱剤
２０、５０  蒸発凝縮部
３０、３５  熱輸送部
３１  蒸気流路
３２  還流路
４０  熱回収部
４１  熱回収熱交換器
５３  伝熱フィン
１００  エンジン（内燃機関）
１１０  排気通路
【図１】
2010116911.tif 000003
【図２】
2010116911.tif 000004
【図３】
2010116911.tif 000005
【図４】
2010116911.tif 000006
【図５】
2010116911.tif 000007
【図６】
2010116911.tif 000008